(57)【要約】【課題】各地域で違う放送局のチャンネル番号を意識しないで、テレビ受像機のリモコンコントロールを行える装置が必要。【解決手段】移動体通信端末が、無線基地局を介して、データ配信サーバから受信した番組表等のテレビ情報と、ＲＯＭ部に保持している各メーカー別のテレビ制御信号テーブルデータとに基づいて、テレビ制御信号を生成し、赤外線発光部より送信し、テレビ受像機を制御するテレビリモコン機能付移動体通信端末および通信端末システム。【選択図】      図８
2004186945.tif 000002
【特許請求の範囲】
【請求項１】
移動体通信端末の位置を登録している無線基地局に対して、閲覧可能なテレビ番組に関する情報の送信を要求する機能と、前記無線基地局から受信したテレビ番組に関する情報から所望の番組を選択するための選択手段と、選択された番組情報を記憶する記憶手段と、記憶された番組情報に基づいて、前記選択された番組を受信するようにテレビ受像機を制御する制御信号を作成する制御手段と、前記制御信号を前記テレビ受像機に送信する送信手段とを有することを特徴とする移動体通信端末。
【請求項２】
時計手段を設け、前記制御手段は、前記選択した番組が始まる時間になると、その番組を映し出す前記制御信号を作成することを特徴とする請求項１に記載の移動体通信端末。
【請求項３】
無線基地局へ、テレビ番組に関する情報を要求する信号を送信し、前記無線基地局から前記テレビ番組に関する情報を受信する送受信手段と、
各メーカーのテレビ受像機を操作するメーカー別の制御コードを保持しておく保持手段と、
受信した前記テレビ番組に関する情報の中から観覧するテレビ番組を選択するとともに、観覧するテレビ受像機のメーカーを選択するための選択手段と、
前記無線基地局から受信した前記テレビ番組に関する情報と番組を選択した情報およびテレビ受像機のメーカーを選択した情報とを記憶する記憶手段と、
前記テレビ番組に関する情報と前記各メーカーのテレビ受像機を操作する制御コードと前記番組を選択した情報と前記テレビ受像機のメーカーを選択した情報とに基づいて、前記テレビ受像機の受信および動作の制御を行う制御信号を作成する制御手段と、
前記制御信号を前記テレビ受像機に送信する送信手段とを備えることを特徴とする移動体通信端末。
【請求項４】
前記テレビ番組に関する情報と前記各メーカーのテレビ受像機を操作する制御コードを表示する表示手段と前記表示手段の表示面に前記選択手段として機能するタッチパネルを設け、表示された番組情報名とメーカー名の中から前記タッチパネルでタッチした番組情報名とメーカー名が選択されることを特徴とする請求項３に記載の移動体通信端末。
【請求項５】
時計手段を設け、前記テレビ番組に関する情報に記載された番組開始時間になると、前記制御手段は、前記制御信号を作成し、前記送信手段から前記テレビ受像機へ送信し、選択された番組を映し出すことを特徴とする請求項３または請求項４に記載の移動体通信端末。
【請求項６】
時計手段を設け、前記テレビ番組に関する情報に記載された番組開始時間になると、前記制御手段は、前記制御信号を作成し、前記送信手段から前記テレビ受像機へ送信し、前記テレビ受像機の電源をＯＮし、選択された番組を映し出し、前記番組終了時間になると再び、前記制御信号を作成し、前記送信手段から前記テレビ受像機へ送信し、前記テレビ受像機の電源をＯＦＦすることを特徴とする請求項３または請求項４に記載の移動体通信端末。
【請求項７】
請求項３乃至請求項６のいずれかに記載の移動体通信端末と、前記テレビ番組に関する情報を送信する無線基地局とを無線通信回線で接続していることを特徴とする移動体通信端末システム。
【発明の詳細な説明】
【０００１】
【発明の属する技術分野】
本発明は、携帯電話機等のテレビリモートコントロール機能付き移動体通信端末および移動体通信端末システムに関するものである。
【０００２】
【従来の技術】
地上波テレビ放送の各放送局のチャンネル番号は、キー局を中心とした同系列の放送局であっても地域ごとに異なっている。そのため、ユーザーは、違う地域に移動した場合は、チャンネル番号をテレビ受像機へ設定し直す必要がある。そのためにリモートコントロール装置（以下、リモコンと記載）を使って、キー操作等により各放送局のチャンネル番号をテレビ受像機側の番号であるプログラムＮＯへ１つずつ対応させて記憶させ、チャンネル番号を設定していた。
【０００３】
しかし、キー操作により全てのチャンネル番号の設定を行う為、キー操作の回数が多くなり、労力と時間がかかっていた。その為、地域別の各放送局のチャンネル番号の情報である地域コード情報（図２参照）とテレビ受像機側のプログラムＮＯと各放送局の組み合わせ情報であるコンビネーション情報（図３参照）とに基づいて、ある地域における各放送局のチャンネル番号と、テレビ受像機側のプログラムＮＯとの対応を設定する情報であるチャンネル番号情報（図４参照）を作成し、その作成したチャンネル番号情報を赤外線信号でテレビ受像機へ送信することにより、キー操作せずにチャンネル番号を設定し、統一されたプログラムＮＯでテレビ番組を選択することができる提案が特許文献１で行われていた。
【０００４】
この特許文献１で提案されたリモコンの構成について、図１を用いて説明する。リモコン５０は、制御部５１と、地域コードＲＯＭ５２と、コンビネーションＲＯＭ５３と、ＲＡＭ５４と、操作キー部５５と、ＬＣＤドライバー５６と、ＬＣＤ表示部５７と、赤外線発光部５８等で構成されている。
【０００５】
地域コードＲＯＭ５２には、地域コード情報が保持されている。コンビネーションＲＯＭ５３には、コンビネーション情報が保持されている。ＲＡＭ５４には、制御部５１が、地域コード情報とコンビネーション情報により作成した、チャンネル番号情報が記憶される。
【０００６】
次に、図２を用いて、地域コード情報の一例について説明する。１列目は、２列目に示す各地域に対してつけられた地域コードである。３列目以降に、各地域コードに対する各放送局のチャンネル番号が設定されている。
【０００７】
図３を用いて、コンビネーション情報の一例について説明する。１行目には、テレビ受像機５９側のプログラムＮＯが示されている。２行目以降には、プログラムＮＯと各放送局との組み合わせを複数設定している。各組み合わせに対して、左端にコンビネーションコードをつけて引用できるようにしている。
【０００８】
ユーザーは、ＬＣＤ表示部５７、操作キー部５５を用いて、図２の地域コード情報より、ある地域コードを選択する。また、図３のコンビネーション情報より、あるコンビネーションコードを選択する。例えば、図２に示した太い黒枠で囲まれた地域コード３の情報と図３に示した太い黒枠で囲まれたコンビネーションコード１の情報を選択すると、制御部５１は、図４に示すチャンネル番号情報を作成する。チャンネル番号情報は、テレビ受像機５９側のプログラムＮＯに対する放送局とチャンネル番号の設定内容である。作成されたチャンネル番号情報は、赤外線発光部５８よりテレビ受像機５９へ発信され、テレビ受像機５９のチャンネル番号を設定する。
【０００９】
また一方、携帯電話機から自動車内のテレビユニット等の各機能ユニットに制御信号を送信して制御することにより、複数のリモコンによる操作を不要にする提案も特許文献２で行われている。
【００１０】
この特許文献２で提案された携帯電話機から各機能ユニットを制御するシステムの概略構成について図５を用いて説明する。本システムは、携帯電話機６０と、エアコンユニット６１と、コントロールユニット６２と、テレビユニット６３と、ラジオユニット６４と、ナビゲーションユニット６５と、その他ユニット６６から構成されていて、各ユニットとコントロールユニット６２とは電線によって接続されている。
【００１１】
コントロールユニット６２は、受信アンテナを有しており、携帯電話機６０から送信されるリモコン信号を受信し、このリモコン信号によって各ユニットの駆動を行う。テレビユニット６３の操作は、携帯電話機６０のキーを操作して、チャンネル番号指定し、番組選択する。
【００１２】
【特許文献１】
特開１９９４―３３４８９１号公報（第５−１３項、第２図）
【特許文献２】
特開１９９８―２７６４８０号公報（第３−６項、第２図）
【００１３】
【発明が解決しようとする課題】
しかしながら、特許文献１で提案したリモコンに内蔵された地域コードＲＯＭに各地域の放送局のチャンネル番号を保持させ、そのチャンネル番号に基づいてテレビ受像機のプログラムＮＯを設定する方法では、全国の地域で使用するには限界があると思われる。例えば、全国には、キー局の系列に属さないローカル局なども存在し、予めＲＯＭに保持させた地域コード情報に盛り込まれていない放送局もあることが予想される。また、ある地域では、放送局が時間帯によりキー局の系列が変わる場合もある。その為、チャンネル番号をプログラムＮＯに設定できなかったり、また設定できたとしても、時間帯により放送局が変わり、予期していた番組が放送されなかったりするケースが考えられる。また、同じ番組であっても、地域が変わると番組の放送時間が変わるケースもある。そのため結局、プログラムＮＯを統一し、リモコンで番組を選択しやすい環境にしたとしても、常にリモコンで番組を切り替えて、テレビ受像機の画面をチェックしながら番組選択をしなければいけない可能性がある。もしくは、事前にその地域のテレビ番組表等を入手して、番組を選択することが必要になると思われる。しかも、テレビ番組表等で事前にチェックしたとしても、他事に気を取られ、番組を見逃すことも考えられる。
【００１４】
また一方、特許文献２で提案した携帯電話機から制御信号を自動車内のコントロールユニットに送信し、テレビユニット等を操作する提案は、複数のリモコンを操作する不便さからは解放されるが、携帯電話機のキーからいちいちチャンネル番号を指定して、テレビ番組を選ぶという点においては、従来のリモコンと同じである。
【００１５】
本発明は、上記の問題点に鑑み、テレビ受像機を観覧する場所が変わっても、移動した場所で、その地域のテレビ番組に関する情報を無線基地局から入手し、番組情報を表示画面で見ながら番組を指定することにより、チャンネル番号を意識せずに番組選択が行え、番組がスタートする時間になると、自動的にテレビ受像機に番組を映し出す制御を行う移動体通信端末を提供することを目的とする。
【００１６】
【課題を解決するための手段】
上記目的を達成するために本発明は、送受信手段と、選択手段と、表示手段と、時計手段と、保持手段と、記憶手段と、送信手段と、制御手段等で構成される移動体通信端末を設ける。無線基地局から移動体通信端末へ送られたテレビ番組に関する情報から番組を選択手段で選択すると、番組を選択した情報が作成される。また、予め保持手段に保持しておいた各メーカーのテレビ受像機を操作する制御コードからメーカーを選択手段で選択すると、テレビ受像機のメーカーを選択した情報が作成される。そして、テレビ番組に関する情報と番組を選択した情報と各メーカーのテレビ受像機を操作する制御コードとテレビ受像機のメーカーを選択した情報とに基づいて、制御手段によりテレビ受像機の制御を行う制御信号が作成される。作成された制御信号は、送信手段よりテレビ受像機へ送信され、テレビ受像機の受信および動作の制御が行われる。
【００１７】
この構成によると、各地域における各放送局のチャンネル番号を意識することなくユーザーが見たい番組を選択でき、テレビ受像機に映し出すことができる。
【００１８】
また本発明は、無線基地局から移動体通信端末へ送信されたテレビ番組に関する情報を表示手段へ表示させ、番組情報名を選択手段であるタッチパネルから直接タッチし番組選択する。
【００１９】
この構成によると、ユーザーは、表示された番組情報名をタッチするだけの簡単な操作により番組選択が行える。
【００２０】
また本発明は、テレビ番組に関する情報に記載された番組スタート時間になると、制御手段がテレビ受像機の制御信号を作成し、送信手段からテレビ受像機へ送信し、番組を映し出す。
【００２１】
この構成によると、番組予約のために時間設定をすることもなく、番組がスタートする時間になると自動的に番組が映し出され、番組を観ることができる。
【００２２】
また本発明は、テレビ番組に関する情報に記載された番組スタート時間になると、テレビ受像機の制御信号を送信手段からテレビ受像機へ送信し、テレビ受像機の電源をＯＮにする。また、番組が終了する時点で再度テレビ受像機の制御信号を送信手段からテレビ受像機へ送信し、テレビ受像機の電源をＯＦＦにする。
【００２３】
この構成によると、番組がスタートするまで、テレビ受像機の電源をＯＦＦにし、消費電力を低減させることができる。
【００２４】
【発明の実施の形態】
以下に本発明の実施形態について図面を参照して説明する。
【００２５】
まず、図６を用いて、各地域における無線基地局と移動体通信端末との関係について説明する。地域Ａ内に無線基地局ＡおよびＣが存在し、地域Ｂ内に無線基地局Ｂが存在すると想定する。無線基地局Ａ、Ｂ、Ｃの周りを囲っている領域をエリアＡａ１、エリアＢｂ１、エリアＣｃ１とする。エリアとは、無線基地局が移動体通信端末である移動機と交信をおこなえる守備範囲のことであり、移動機Ａａ３は、エリアＡａ１の中でのみ、無線基地局Ａａ２と交信できる。その関係は、無線基地局Ｂｂ２と移動機Ｂｂ３においても同様である。もし、移動機Ａａ３が、エリアＣｃ１内に移動すると、無線基地局Ｃｃ２と交信することになる。
【００２６】
次に、図７を用いて、移動機が無線基地局よりテレビ番組に関する情報を入手するしくみについて説明する。地域Ａ内に設置された無線基地局Ａａ２と、無線基地局Ａａ２のエリアＡａ１内を移動する移動機Ａａ３は、通信を行っている状態である。また、地域Ｂ内に設置された無線基地局Ｂｂ２と、無線基地局Ｂｂ２のエリアＢｂ１内を移動する移動機Ｂｂ３も、通信を行っている状態である。
【００２７】
通信網ｒ１は、無線基地局Ａａ２と無線基地局Ｂｂ２とデータ配信サーバｄ１とに接続され、データのやり取りが可能となっている。その為、データ配信サーバｄ１は、通信網ｒ１を介して、無線基地局Ａａ２、Ｂｂ２へデータを転送できるようになっている。
【００２８】
こういう構成において、例えば、移動機Ａａ３が、無線基地局Ａａ２に対して、テレビ番組に関する情報を要求すると、無線基地局Ａａ２は、通信網ｒ１を介して、データ配信サーバｄ１に地域Ａのテレビ番組に関する情報を要求する。データ配信サーバｄ１は要求されたテレビ番組に関する情報を通信網ｒ１を介して、無線基地局Ａａ２に配信し、無線基地局Ａａ２より移動機Ａａ３へ送信され、移動機Ａａ３は地域Ａのテレビ番組に関する情報を取得する。
【００２９】
また、移動機Ｂｂ３が、無線基地局Ｂｂ２に対して、テレビ番組に関する情報を要求すると無線基地局Ｂｂ２は、通信網ｒ１を介して、データ配信サーバｄ１に地域Ｂのテレビ番組に関する情報を要求する。データ配信サーバｄ１は要求されたテレビ番組に関する情報を通信網ｒ１を介して、無線基地局Ｂｂ２に配信し、無線基地局Ｂｂ２より移動機Ｂｂ３へ送信され、移動機Ｂｂ３は地域Ｂのテレビ番組に関する情報を取得する。
【００３０】
次に、図８を用いて、本発明の実施形態である移動体通信端末の構成について説明する。移動体通信端末１６は、制御手段である制御部１と、記憶手段である記憶部２と、保持手段であるＲＯＭ６と、時計手段である時計部８と、送受信手段であるアンテナ部９および無線処理部１０と、選択手段である操作キー部１１およびタッチパネル１３と、表示手段であるＬＣＤ表示部１２およびＬＣＤドライバー１７と、送信手段である赤外線発光部１４等とで構成される。
【００３１】
アンテナ部９および無線処理部１０は、無線基地局（無線基地局Ａａ２と仮定）へテレビ番組に関する情報を要求する信号であるリクエスト信号を送信し、無線基地局Ａａ２からテレビ番組に関する情報を受信する。記憶部２は、データの書き換えが可能なＲＡＭもしくはフラッシュメモリ等が用いられ、無線基地局Ａａ２から受信したテレビ番組に関する情報であるテレビ情報３（図９参照）や、テレビ情報３から観覧するテレビ番組を選択した情報である番組選択情報５（図１０参照）および各メーカーのテレビ受像機を操作する制御コードからテレビ受像機のメーカーを選択した情報であるメーカー選択情報４（図１２参照）が記憶される。ＲＯＭ６には、マスクＲＯＭ等が用いられ、固定データの各メーカーのテレビ受像機を操作する制御コードであるメーカー別制御信号テーブルデータ７（図１１参照）が保持される。
【００３２】
ＬＣＤ表示部１２およびＬＣＤドライバー１７により、テレビ情報３とメーカー別制御信号テーブルデータ７が表示される。操作キー部１１およびタッチパネル１３では、表示されたテレビ情報３から観覧するテレビ番組が選択され、同じく表示されたメーカー別制御信号テーブルデータ７から観覧するテレビ受像機１５のメーカーが選択される。時計部８は、現在の時間を示す。赤外線発光部１４は、制御部１が作成したテレビ受像機を制御する制御信号であるテレビ制御信号をテレビ受像機１５へ送信する。
【００３３】
なお、本実施形態である移動体通信端末１６は、通話モードとリモコンモードを兼用する。そのため、モードを切り替える方法が必要となる。例えば、リモコン専用のアプリケーションソフトを立ち上げて、そのソフト環境の中でリモコンとして操作する方法等が考えられる。ただし、リモコン操作中に電話等の受信が入った場合は、一時的に通話モードに戻り通話できる様に注意されている。
【００３４】
次に、図９を用いて、移動体通信端末１６が無線基地局Ａａ２から入手するテレビ情報３の内容について説明する。テレビ情報３は、ＬＣＤ表示部１２に、各放送局の番組情報が、上部から下部へ時系列に並んで表示される。番組情報の枠の位置および枠の縦の幅は、放送時間を表しており、他の番組の放送時間と見比べて番組選択ができる。
【００３５】
そして、各番組情報は、ＬＣＤ表示部１２の表示面に設置されたタッチパネル１３からタッチすることでオープンされる。例えば、Ａ−ｋ番組情報３ａをオープンすると、番組タイトル、番組内容等の紹介、番組開始時間、番組終了時間、ＣＨ制御番号等を見ることができる。番組開始時間、番組終了時間は、番組がスタートする時間にテレビ制御信号を送信して番組を映し出す機能や、番組がスタートする時間にテレビ制御信号を送信してテレビ受像機の電源をＯＮにし、番組が終了する時間になると、再度テレビ制御信号を送信して、テレビ受像機の電源をＯＦＦにする機能等に用いられる。ＣＨ制御番号は、番組を放送する放送局のチャンネル番号が記載されており、テレビ制御信号を送信し、選択された番組を映し出す時に用いられる。図９には、記載していないが、ＰＲ内容や連絡事項等の情報を記載することも可能である。
【００３６】
移動体通信端末１６の操作キー部１１、ＬＣＤ表示部１２、タッチパネル１３等を使用して、ユーザーがテレビ情報３の取得を指示し、制御部１でリクエスト信号が作成され、無線処理部１０、アンテナ部９を介して交信相手の無線基地局Ａａ２に送信し、テレビ情報３の取得要求を行う。
【００３７】
テレビ情報３の取得要求を受けた無線基地局Ａａ２は、対応する地域のテレビ情報３を入手し、移動体通信端末１６に送信する。移動体通信端末１６は、テレビ情報３を無線処理部１０、アンテナ部９より受信する。受信したテレビ情報は制御部１により、記憶部２に記憶される。
【００３８】
記憶部２に記憶されたテレビ情報３より番組を選択する場合、まずテレビ情報３を、操作キー部１１、タッチパネル１３等により、ＬＣＤ表示部１２に表示する。次に、ＬＣＤ表示部１２の表示面に設置されたタッチパネル１３に直接触れることによって、観たい番組の番組情報を選択する。
【００３９】
テレビ情報３から番組情報を選択すると、制御部１により番組選択情報５が作成され、記憶部２に記憶される。番組選択情報５の一例について図１０を用いて説明する。番組選択情報５は、図１０に示すように、放送局の区別なく、選択された番組情報が時系列に縦に並べられている。
【００４０】
また、番組選択情報５を記憶部２へ記憶後、再度読み出して、ＬＣＤ表示部１２へ表示することも可能である。選択した番組の確認をすることができ、番組の選択ミスを見つけた場合は、テレビ情報３を再度、ＬＣＤ表示部１２に表示し、再度番組選択し、古い番組選択情報５のデータと入れ替えることも可能である。
【００４１】
次に、テレビ受像機１５の制御コードであるメーカー別制御信号テーブルデータ７の一例について図１１を用いて説明する。メーカー別制御信号テーブルデータ７は、予めＲＯＭ６に保持させておく。テレビ受像機１５に対しての制御コードは、メーカーにより異なるため、メーカー別制御信号テーブルデータ７には、各メーカーの制御コードが記載されている。
【００４２】
メーカー別制御信号テーブルデータ７は、操作種類として、電源ＯＮ、ＯＦＦの操作、音量ＵＰ、ＤＯＷＮの調整、チャンネル番号の指定等がある。電源ＯＮ、ＯＦＦの操作に関する制御コードは、制御部１がテレビ受像機の電源を制御するテレビ制御信号を作成する時に読み出される。音量ＵＰ、ＤＯＷＮの調整に関する制御コードは、移動体通信端末１６の操作キーから音量ＵＰ、ＤＯＷＮの調整の操作が行われると、それに従い制御部１がテレビ受像機の音量を制御するテレビ制御信号を作成する時に読み出される。チャンネル番号指定に関する制御コードは、制御部１が番組選択情報５により選択された番組を映し出すテレビ制御信号を作成する時に読み出される。メーカーごとに準備された制御信号テーブルデータは、０、１の数字列である制御コードで区別されている。制御コードは、図１１の例では、８桁で設定されているが、操作種類、メーカー種類により適当な桁数を決めることができる。
【００４３】
メーカー別制御信号テーブルデータ７は、移動体通信端末１６のＬＣＤ表示部１２に表示され、操作キー部１１、タッチパネル１３等により、メーカーを選択される。選択されると、制御部１により、メーカー選択情報４として作成されて、記憶部２に記憶される。図１２には、メーカー選択情報４の一例が示されている。メーカー名とそれに対応するＮＯ（以下、メーカーＮＯと記載）が記載されている。
【００４４】
テレビ受像機の電源のＯＮ、ＯＦＦ、音量のＵＰ、ＤＯＷＮの調整、チャンネル番号指定等の制御をする際は、制御部１が、メーカー選択情報４が指定するメーカーの制御コードを、メーカー別制御信号テーブルデータ７より読み出し、テレビ制御信号を作成する。
【００４５】
次に、移動体通信端末１６が保持するテレビ情報３よりテレビ受像機１５を制御する方法について説明する。移動体通信端末１６の記憶部２に保持されたテレビ情報３は、ユーザーから操作キー部１１、ＬＣＤ表示部１２、タッチパネル１３等により呼び出し要求されることにより、ＬＣＤ表示部１２へテレビ番組表の表示が行われる。
【００４６】
ＬＣＤ表示部１２の表示面に設置されたタッチパネル１３を直接触れることにより、観たい番組が選択される。選択された番組の情報である番組選択情報５は、制御部１により、テレビ番組スケジュールと時計部８が示す時間とを比較され、現時点でテレビ受像機１５への制御が必要かどうかを判断される。番組の放送がスタートしており、テレビ受像機１５への制御が必要な場合は、メーカー選択情報４のメーカーＮＯより、メーカー別制御信号テーブルデータ７内の指定メーカーの制御コードが読み出される。
【００４７】
読み出されたテーブルデータと、番組選択情報５と、テレビ情報３に記載のＣＨ制御番号より、制御部１でテレビ受像機１５へのテレビ制御信号が作成され、赤外線発光部より送信される。
【００４８】
但し、現時点での制御を必要とせず、かつ放送が終了してしまっている番組選択情報５は削除される。現時点での制御を必要とせず、かつ現在時間より後に放送予定の番組選択情報５は、放送予定時刻まで記憶部２に保持される。放送予定時刻になったら、メーカー選択情報４のメーカーＮＯよりメーカー別制御信号テーブルデータ７内の指定メーカーの制御コードが読み出される。そして、読み出されたテーブルデータの制御コードと番組選択情報５とテレビ情報３より、制御部１でテレビ受像機１５へのテレビ制御信号が作成される。作成されたテレビ制御信号が、赤外線発光部１４より送信されることによりテレビ受像機１５の受信および動作の制御が行われる。
【００４９】
また、電源ＯＮ状態で、現在の時間、テレビ情報３の番組スケジュールおよび番組選択情報５により、テレビ受像機１５の電源をＯＮしておく必要がない場合は、メーカー選択情報４より、メーカー別制御信号テーブルデータ７内の指定メーカーの制御コードが読み出される。制御部１は、読み出された制御コードからテレビ受像機１５の電源をＯＦＦするテレビ制御信号を生成し、赤外線発光部１４より送信し、テレビ受像機１５の電源をＯＦＦする。
【００５０】
逆に、電源ＯＦＦ状態で、現在の時間、テレビ情報３の番組スケジュールおよび番組選択情報５によりテレビ受像機１５の電源をＯＮする必要のある場合には、メーカー選択情報４より、メーカー別制御信号テーブルデータ７内の指定メーカーの制御コードが読み出される。制御部１は、読み出された制御コードからテレビ受像機１５の電源ＯＮするテレビ制御信号を生成し、赤外線発光部１４より送信し、テレビ受像機１５の電源をＯＮする。
【００５１】
テレビ受像機１５の音量のＵＰ／ＤＯＷＮを行う必要のある場合には、操作キー部の所定のキーより操作を行う。キーより操作が行われると、メーカー選択情報４より、メーカー別制御信号テーブルデータ７内の指定メーカーの制御コードが読み出される。制御部１は、読み出された制御コードからテレビ受像機１５の音量をＵＰ／ＤＯＷＮするテレビ制御信号を生成し、赤外線発光部１４より送信し、テレビ受像機１５の音量の調整を行う。例えば、Ａというキーが音量ＵＰ用のキーで、Ｂというキーが音量ＤＯＷＮ用のキーで、それぞれのキーを押すと、その都度、制御部１がテレビ制御信号を生成し、赤外線発光部１４より送信してテレビ受像機１５の音量を調整する。
【００５２】
また別の方法として、ＬＣＤ表示部１２に、音量ＵＰ／ＤＯＷＮ指定用のエリアを設け、タッチパネル１３からタッチすることにより、メーカー選択情報４より、メーカー別制御信号テーブルデータ７内の指定メーカーの制御コードが読み出され、制御部１が、読み出された制御コードからテレビ制御信号を作成し、赤外線発光部１４より送信してテレビ受像機１５の音量を調整することも可能である。
【００５３】
次に、制御部１が行う処理手順について、図１３に示すフローチャートに沿って説明する。
【００５４】
ステップＳ１にて、メーカー別制御信号テーブルデータ７をＬＣＤ表示部１２に表示し、メーカーを選択させる。そして、作成したメーカー選択情報４を記憶部２に記憶する。次に、ステップＳ２にて、アンテナ部９、無線処理部１０を介して、無線基地局Ａａ２へ、テレビ情報３の配信のリクエスト信号を送る。無線基地局Ａａ２は、データ配信サーバｄ１から、通信網ｒ１を介して、テレビ情報３を取り寄せ、移動体通信端末１６へ送信する。
【００５５】
次に、ステップＳ３にて、アンテナ部９、無線処理部１０を介して、テレビ情報３を取得し、記憶部２に記憶する。次に、ステップＳ４にて、テレビ情報３をＬＣＤ表示部１２に表示し、観たい番組を選択させる。そして、番組選択情報５を作成し、記憶部２に記憶する。
【００５６】
次に、ステップＳ５にて、選択された番組がスタートしているかどうかを、時計部８が示している時間と比較して判断する。もし、スタートしていたらステップＳ６に進む。スタートしていなかったらステップＳ８に進む。ステップＳ６において、番組が終了しているかどうかを時計部８が示している時間と比較して判断する。
【００５７】
もし、終了していたらステップＳ７に進み、番組選択情報５を削除する。削除後、ステップＳ１２に進む。もし、番組がまだ終了していなかったら、ステップＳ９に進む。
【００５８】
ステップＳ８においては、番組のスタート時間と時計部８が示している時間が等しいかどうかを確認する。等しくなければ、確認処理を繰り返す。等しくなれば、ステップＳ９に進む。
【００５９】
ステップＳ９では、メーカー別制御信号テーブルデータ７とメーカー選択情報４と番組選択情報５とテレビ情報３を基に、テレビ制御信号を作成し、赤外線発光部１４より、テレビ受像機１５へ送信する。テレビ制御信号により、テレビ電源をＯＮさせ、番組を映し出す。そして、ステップＳ１０に進む。
【００６０】
ステップＳ１０においては、番組の終了時間と時計部８が示している時間が等しいかどうかを確認する。等しくなければ、確認処理を繰り返す。等しくなれば、ステップＳ１１に進む。
【００６１】
ステップＳ１１においては、メーカー選択情報４とメーカー別制御信号テーブルデータ７とを基に、テレビ制御信号を作成し、赤外線発光部１４より、テレビ受像機１５へ送信し、テレビ電源をＯＦＦさせる。テレビ電源をＯＦＦ後、ステップＳ１２に進む。
【００６２】
ステップＳ１２においては、選択された番組のうちで、未だ放送されていない番組が残っているかどうか確認する。残っていれば、ステップＳ５に戻り、上記処理を繰り返す。選択された番組のうちで、放送されていない番組が残っていなければ処理を終了とする。
【００６３】
【発明の効果】
本発明によると、ユーザーがいる特定地域で受信可能なテレビ放送局の番組タイトル、放送スケジュール、番組の紹介コメント、地域チャンネル番号等からなるテレビ情報を自由に取得し、ユーザーが使用するテレビ受像機のメーカーを選択し、移動体通信端末の表示画面に表示された番組を直接選択できる。そして、テレビ受像機の制御信号を作成し、テレビ受像機へ送信することにより、地域における放送局のチャンネル番号を意識することなく、テレビ受像機の設定を行い、ユーザーが観たい番組を映し出すことができる。
【００６４】
また本発明によると、予め観たい番組を選択しておき、移動体通信端末を赤外線信号がテレビ受像機に届く範囲の場所に置いておけば、選択した番組を自動的に映し出すことができる。
【００６５】
また本発明によると、観たい番組が始まる時間がくると、テレビ受像機の電源を制御する信号を送信し、テレビ受像機をＯＮ、またはＯＦＦさせることができ、消費電力低減に効果をあげる。
【図面の簡単な説明】
【図１】従来のリモートコントロール装置の構成図。
【図２】従来のリモートコントロール装置で使用される地域コード情報の一例を示す図。
【図３】従来のリモートコントロール装置で使用されるプログラムＮＯと放送局の組み合わせを示す図。
【図４】従来のリモートコントロール装置で使用されるプログラムＮＯに対する放送局とチャンネル番号の組み合わせの一例を示す図。
【図５】従来の携帯電話機によるリモートコントロール装置システム。
【図６】無線基地局と移動機との関係図。
【図７】本発明におけるデータ配信サーバから無線基地局を介して移動機へテレビ情報を配信するしくみを示す図。
【図８】本発明のテレビリモコン機能を有する移動体通信端末の構成図。
【図９】本発明におけるテレビ情報の内容を示す図。
【図１０】本発明における番組選択情報の内容を示す図。
【図１１】本発明におけるメーカー別制御信号テーブルデータの内容を示す図。
【図１２】本発明におけるメーカー選択情報の内容を示す図。
【図１３】本発明における制御部の処理のフローチャート。
【符号の説明】
１    制御部
２    記憶部
３    テレビ情報
３ａ    Ａ−ｋ番組情報
４    メーカー選択情報
５    番組選択情報
６    ＲＯＭ
７    メーカー別制御信号テーブルデータ
８    時計部
９    アンテナ部
１０    無線処理部
１１    操作キー部
１２    ＬＣＤ表示部
１３    タッチパネル
１４    赤外線発光部
１５    テレビ受像機
１６    移動体通信端末
１７    ＬＣＤドライバー
ｄ１    データ配信サーバ
ｒ１    通信網
ａ１    エリアＡ
ａ２    無線基地局Ａ
ａ３    移動機Ａ
ｂ１    エリアＢ
ｂ２    無線基地局Ｂ
ｂ３    移動機Ｂ
ｃ１    エリアＣ
ｃ２    無線基地局Ｃ
【図１】
2004186945.tif 000003
【図２】
2004186945.tif 000004
【図３】
2004186945.tif 000005
【図４】
2004186945.tif 000006
【図５】
2004186945.tif 000007
【図６】
2004186945.tif 000008
【図７】
2004186945.tif 000009
【図８】
2004186945.tif 000010
【図９】
2004186945.tif 000011
【図１０】
2004186945.tif 000012
【図１１】
2004186945.tif 000013
【図１２】
2004186945.tif 000014
【図１３】
2004186945.tif 000015